(57)【要約】【課題】  広告の配信先数を予め定めた数以下にすることができる広告配信プログラムであって、より効率的な広告配信先に広告を配信するプログラムを提供する。【解決手段】広告配信プログラムは、広告毎に広告配信先数を決定する配信先数決定ステップと、広告配信先の個人情報の条件を受け付ける条件受付ステップと、広告配信候補の中から条件に当てはまる広告配信候補を抽出する配信候補抽出ステップと、配信候補抽出ステップが抽出した広告配信候補の中から配信先数決定ステップが決定した数の広告配信先を決定する広告配信先決定ステップと、広告を配信する広告配信ステップと、を備え、前記広告配信先決定ステップは、前記広告配信候補の過去の広告既読件数、前記広告配信候補の個人情報の登録した日時、及び／又は前記広告配信候補の最終アクセス日時を含む配信先決定条件に基づいて、前記広告配信先を決定する。【選択図】図３
2016139266.tif 000002
【特許請求の範囲】
【請求項１】
広告配信候補の個人情報を取得する個人情報取得ステップと、
取得した前記個人情報を前記広告配信候補毎に記憶する個人情報記憶ステップと、
広告毎に当該広告を配信する広告配信先の数を決定する配信先数決定ステップと、
前記広告を配信する広告配信先の個人情報の条件を受け付ける条件受付ステップと、
前記個人情報記憶ステップで記憶された広告配信候補の中から前記条件受付ステップが受け付けた条件に当てはまる広告配信候補を抽出する配信候補抽出ステップと、
前記配信候補抽出ステップで抽出した広告配信候補の中から前記配信先数決定ステップで決定した数の広告配信先を決定する広告配信先決定ステップと、
前記広告配信先決定ステップで決定した広告配信先に広告を配信する広告配信ステップと、
広告配信先毎に前記広告配信ステップで配信した広告の既読を確認する既読確認ステップと、
既読確認ステップで確認した広告の既読数に応じて、広告主が支払う広告料を決定する広告料決定ステップと、
前記広告配信先のうち、前記既読確認ステップで広告の既読を確認した広告配信先に支払う報酬を記憶する報酬記憶ステップと、を備え、
前記広告配信先決定ステップは、前記広告配信候補の過去の広告既読件数、前記広告配信候補の個人情報の登録した日時、及び／又は前記広告配信候補の最終アクセス日時を含む配信先決定条件に基づいて、前記広告配信先を決定することを特徴とする広告配信プログラム。
【請求項２】
前記条件受付ステップは、前記広告を配信すべき広告配信先の複数種類の個人情報の条件を受け付けると共に、当該個人情報の条件の順位を受け付けるものであり、
前記配信候補抽出ステップは、前記個人情報の条件の順位に基づいて、優先的に配信する個人情報の条件の組み合わせに対して優先配信順位を決定して、前記個人情報記憶ステップに記憶された広告配信候補の中から前記優先配信順位が上位の広告配信候補から順に、前記配信先数決定ステップが決定した数を超えるまで広告配信先を抽出し、
前記広告配信先決定ステップは、優先配信順位が最下位の広告配信候補に対して、前記広告配信候補の過去の広告既読件数、前記広告配信候補の個人情報の登録した日時、及び／又は前記広告配信候補の最終アクセス日時を含む配信先決定条件に基づいて、前記広告配信先を決定することを特徴とする請求項１に記載の広告配信プログラム。
【請求項３】
広告配信候補の個人情報を取得する個人情報取得ステップと、
取得した前記個人情報を前記広告配信候補毎に記憶する個人情報記憶ステップと、
広告毎に当該広告を配信する広告配信先の数を決定する配信先数決定ステップと、
前記広告を配信する広告配信先の個人情報の条件を受け付ける条件受付ステップと、
前記個人情報記憶ステップで記憶された広告配信候補の中から前記条件受付ステップで受け付けた条件の広告配信候補を抽出する配信候補抽出ステップと、
前記配信候補抽出ステップで抽出した広告配信候補の中から前記配信先数決定ステップで決定した数の広告配信先を決定する広告配信先決定ステップと、
前記広告配信先決定ステップで決定した広告配信先に広告を配信する広告配信ステップと、
広告配信先毎に前記広告配信ステップで配信した広告の既読を確認する既読確認ステップと、
既読確認ステップが確認した広告の既読数に応じて、広告主が支払う広告料を決定する広告料決定ステップと、
前記広告配信先のうち、前記既読確認ステップが広告の既読を確認した広告配信先に支払う報酬を記憶する報酬記憶ステップと、を備え、
前記広告配信先決定ステップは、
前記配信候補抽出ステップで抽出した広告配信候補に対して、先着順で前記配信先数決定ステップで決定した広告配信先の数の広告を配信する旨の情報を送信すると共に、当該広告配信候補からの広告配信要求を受け付け、
当該広告配信要求があった広告配信候補の中から先着順で広告配信先を決定することを特徴とする広告配信プログラム。
【発明の詳細な説明】
【技術分野】
【０００１】
本発明は、ネットワークを介した広告配信プログラムに関する。
【背景技術】
【０００２】
近年、インターネットを介して広告を配信して、広告配信先のユーザに広告を閲覧させるシステムにおいて、より効果的に広告を配信するシステムが種々提案されている。例えば、広告内容の分野に興味があるユーザのみに広告を配信するなどのように、広告を受け取るユーザの属性に応じた広告を配信することで、より広告内容に関心があるユーザのみに広告を配信するシステムや、ユーザが広告を閲覧した場合に所定の報酬を提供することで、ユーザの広告閲覧に対するインセンティブを向上させるシステムが提案されている（例えば特許文献１、特許文献２参照）。
【先行技術文献】
【特許文献】
【０００３】
【特許文献１】特開２００１−１７５７５３号
【特許文献２】特開２００３−９１６７７号
【発明の概要】
【発明が解決しようとする課題】
【０００４】
ところで、広告を閲覧したユーザに所定の報酬を支払う場合には、広告の閲覧数が想定以上に多かった場合には、支払うべき報酬の額も想定以上となる問題がある。そこで、予め広告の配信先数を限定することが考えられるが、ユーザの属性に応じた広告を配信するとしても、同一属性のユーザが多数登録されている場合には、限定した配信先数を超えるおそれがある。
【０００５】
そこで、本発明は、広告の配信先数を予め定めた数以下にすることができる広告配信プログラムであって、より効率的な広告配信先に広告を配信するプログラムを提供することを目的とする。
【課題を解決するための手段】
【０００６】
請求項１に記載の広告配信プログラムは、広告配信候補の個人情報を取得する個人情報取得ステップと、取得した前記個人情報を前記広告配信候補毎に記憶する個人情報記憶ステップと、広告毎に当該広告を配信する広告配信先の数を決定する配信先数決定ステップと、前記広告を配信する広告配信先の個人情報の条件を受け付ける条件受付ステップと、前記個人情報記憶ステップに記憶された広告配信候補の中から前記条件受付ステップが受け付けた条件に当てはまる広告配信候補を抽出する配信候補抽出ステップと、前記配信候補抽出ステップが抽出した広告配信候補の中から前記配信先数決定ステップが決定した数の広告配信先を決定する広告配信先決定ステップと、前記広告配信先決定ステップが決定した広告配信先に広告を配信する広告配信ステップと、広告配信先毎に前記広告配信ステップが配信した広告の既読を確認する既読確認ステップと、既読確認ステップが確認した広告の既読数に応じて、広告主が支払う広告料を決定する広告料決定ステップと、前記広告配信先のうち、前記既読確認ステップが広告の既読を確認した広告配信先に支払う報酬を記憶する報酬記憶ステップと、を備え、前記広告配信先決定ステップは、前記広告配信候補の過去の広告既読件数、前記広告配信候補の個人情報の登録した日時、及び／又は前記広告配信候補の最終アクセス日時を含む配信先決定条件に基づいて、前記広告配信先を決定することを特徴としている。
【０００７】
請求項２に記載の広告配信プログラムは、前記条件受付ステップは、前記広告を配信すべき広告配信先の複数種類の個人情報の条件を受け付けると共に、当該個人情報の条件の順位を受け付けるものであり、前記配信候補抽出ステップは、前記個人情報の条件の順位に基づいて、優先的に配信する個人情報の条件の組み合わせに対して優先配信順位を決定して、前記個人情報記憶ステップに記憶された広告配信候補の中から前記優先配信順位が上位の広告配信候補から順に、前記配信先数決定ステップが決定した数を超えるまで広告配信先を抽出し、前記広告配信先決定ステップは、優先配信順位が最下位の広告配信候補に対して、前記広告配信候補の過去の広告既読件数、前記広告配信候補の個人情報の登録した日時、及び／又は前記広告配信候補の最終アクセス日時を含む配信先決定条件に基づいて、前記広告配信先を決定することを特徴としている。
【０００８】
請求項３に記載の広告配信プログラムは、広告配信候補の個人情報を取得する個人情報取得ステップと、取得した前記個人情報を前記広告配信候補毎に記憶する個人情報記憶ステップと、広告毎に当該広告を配信する広告配信先の数を決定する配信先数決定ステップと、前記広告を配信する広告配信先の個人情報の条件を受け付ける条件受付ステップと、前記個人情報記憶ステップに記憶された広告配信候補の中から前記条件受付ステップが受け付けた条件の広告配信候補を抽出する配信候補抽出ステップと、前記配信候補抽出ステップが抽出した広告配信候補の中から前記配信先数決定ステップが決定した数の広告配信先を決定する広告配信先決定ステップと、前記広告配信先決定ステップが決定した広告配信先に広告を配信する広告配信ステップと、広告配信先毎に前記広告配信ステップが配信した広告の既読を確認する既読確認ステップと、既読確認ステップが確認した広告の既読数に応じて、広告主が支払う広告料を決定する広告料決定ステップと、前記広告配信先のうち、前記既読確認ステップが広告の既読を確認した広告配信先に支払う報酬を記憶する報酬記憶ステップと、を備え、前記広告配信先決定ステップは、前記配信候補抽出ステップが抽出した広告配信候補に対して、先着順で前記配信先数決定ステップが決定した広告配信先の数の広告を配信する旨の情報を送信すると共に、当該広告配信候補からの広告配信要求を受け付け、当該広告配信要求があった広告配信候補の中から先着順で広告配信先を決定することを特徴としている。
【発明の効果】
【０００９】
請求項１に記載の広告配信プログラムによると、個人情報記憶ステップに記憶されてた広告配信候補の中から広告配信先の個人情報の条件に当てはまる広告配信候補を抽出するので、広告配信先に興味のある広告のみを配信することができ、効率的に広告を配信することができる。また、既読確認ステップが広告の既読を確認した広告配信先に報酬を支払うので、広告配信先のユーザの広告の閲覧に対するインセンティブを向上させることができる。また、広告配信先決定ステップは、広告配信候補の過去の広告既読件数、広告配信候補の個人情報の登録した日時、及び／又は広告配信候補の最終アクセス日時を含む配信先決定条件に基づいて、広告配信先を決定するので、広告を閲覧する可能性がより高い広告配信先に広告を配信することができる。
【００１０】
請求項２に記載の広告配信プログラムによると、複数種類の個人情報の条件を順位付けしており、配信候補抽出ステップは、当該個人情報の条件の順位に基づいて、優先的に配信する個人情報の条件の組み合わせに対して優先配信順位を決定して、広告配信先を抽出するので、より確実に、広告内容に関心があるユーザに対して広告を配信することができる。また、広告配信先決定ステップが、優先配信順位が最下位の広告配信候補に対して、広告配信候補の過去の広告既読件数、広告配信候補の個人情報の登録した日時、及び／又は広告配信候補の最終アクセス日時を含む配信先決定条件に基づいて、前記広告配信先を決定するので、より一層広告を閲覧する可能性がより高い広告配信先に広告を配信することができる。
【００１１】
請求項３に記載の広告配信プログラムによると、広告配信先決定ステップが、配信候補抽出ステップが抽出した広告配信候補に対して、先着順で配信先数決定ステップが決定した広告配信先の数の広告を配信する旨の情報を送信すると共に、当該広告配信候補からの広告配信要求を受け付け、当該広告配信要求があった広告配信候補の中から先着順で広告配信先を決定するので、広告配信先のユーザに対して配信する広告が先着の配信数を限定したものであることを伝えることができ、よりユーザの関心を引くことができ、また、広告配信要求を受け付けた広告配信先にのみ広告を配信するので、当該広告を閲覧する気があるユーザのみに広告を配信することができる。
【図面の簡単な説明】
【００１２】
【図１】広告配信プログラムを実行するシステムの構成を示すネットワークブロック図。
【図２】広告配信プログラムの全体構成を示すタイミングチャート。
【図３】ユーザ端末に表示される情報登録画面の構成を示す図。
【図４】広告主端末に表示される条件入力画面の構成を示す図。
【図５】配信候補抽出ステップの処理のルーチンを示すフローチャート。
【図６】優先配信順位の決定方法を説明する図表。
【図７】別の実施形態の配信候補抽出ステップ、広告配信先決定ステップの処理のルーチンを示すフローチャート。
【図８】別の実施形態の広告配信プログラムの全体構成を示すタイミングチャート。
【発明を実施するための形態】
【００１３】
以下、本発明に係る広告配信プログラムの最良に実施形態について各図を参照しつつ説明する。本実施形態の広告配信プログラムは、例えばＳＮＳ（social networking service）などのネットワーク上で提供されるサービスやコンテンツに付随して広告を配信するものである。この広告配信プログラムは、図２に示すように、広告配信候補となるユーザから個人情報を取得し、取得した個人情報と、広告主が指定する広告配信先の個人情報の条件と、ユーザの過去の広告既読件数、個人情報の登録日、最終アクセス日時などのアクティブユーザーであるか否かを判別する情報などに基づいて、広告を配信する広告配信先を決める。なお、本実施形態において、個人情報とは、氏名、住所、性別、生年月日などの特定の個人に属する情報であって組み合わせることで当該個人を識別することができる情報の他、当該個人の関心事や当該個人の属する団体の情報、当該個人の社会的地位に関する情報などのあらゆる情報を含む。
【００１４】
まず、本実施形態の広告配信プログラムを実行するシステム３０の構成について、図１を参照しつつ説明する。広告配信プログラム１を実行するシステム３０は、インターネット５に接続されるサーバ２と、サーバ２に接続されるストレージ３と、インターネット５を介してサーバ２にアクセス可能なユーザ端末４と、インターネット５を介してサーバ２にアクセス可能な広告主端末６とを含む。サーバ２は、広告配信プログラム１を実行するＣＰＵ７(Central Processing Unit)と、当該広告配信プログラム１が記憶されたＨＤＤ８（Hard disk drive）と、広告配信プログラム１を展開するメモリー９とを有するＰＣ（personal computer）である。また、ストレージ３は、サーバ２にＬＡＮ１０（Local Area Network）で接続された外部記憶装置であり、個人情報データベース１１が記憶されている。
【００１５】
ユーザ端末４は、広告配信候補のユーザが所持するインターネット５に接続可能なデバイスであり、例えばスマートフォン、タブレット端末、ＰＣが例示できる。ユーザ端末４は、ユーザから個人情報の入力を受け付け、当該個人情報をサーバ２に送信可能であり、また、サーバ２から送信された広告を表示可能な構成である。ユーザ端末４には、予め本実施形態の広告配信プログラム１に対応するアプリケーションソフトウエアがダウンロードされており、個人情報の登録や広告の閲覧画面の表示をこのアプリケーションソフトウエアによって実行することができる。なお、例えばＷｅｂサイトを閲覧可能なブラウザソフトウエアによって、個人情報の登録や広告の閲覧画面の表示を実行するもののように、既存のアプリケーションソフトウエアを用いて個人情報の登録や広告の閲覧画面の表示を行うものであってもよい。
【００１６】
また、広告主端末６は、例えば広告主が所持するＰＣである。広告主端末６は、広告主から出稿する広告の原稿や広告を配信する広告配信先の個人情報の条件などの情報をインターネット５を介してサーバ２に送信することができる。なお、広告主端末６は、必ずしも広告主が所有するものに限定されず、サーバ２を運用する広告代理店の営業担当者が所持するタブレット端末や、広告主から郵送、ＦＡＸ、電話などで情報を受け付けて、当該情報を入力するオペレータのＰＣ端末などであってもよい。
【００１７】
次に、以上のようなシステム３０で実行される広告配信プログラム１の各ステップについて説明する。広告配信プログラム１は、図２に示すように、ユーザ端末４とサーバ２との間で情報を送受信して、広告配信候補のユーザの個人情報を取得する個人情報取得ステップ（Ｓ１５）と、取得した個人情報を広告配信候補毎に記憶する個人情報記憶ステップ（Ｓ１６）と、を有している。また、広告配信プログラム１は、広告主端末６とサーバ２との間で情報を送受信して、広告毎に当該広告を配信する広告配信先の数を決定する配信先数決定ステップ（Ｓ１７）と、広告を配信する広告配信先の個人情報の条件である配信条件を受け付ける条件受付ステップ（Ｓ１８）と、を有している。さらに広告配信プログラム１は、個人情報記憶ステップ（Ｓ１６）で記憶された広告配信候補の中から条件受付ステップ（Ｓ１８）が受け付けた配信条件に当てはまる広告配信候補を抽出する配信候補抽出ステップ（Ｓ１９）と、抽出した広告配信候補の中から配信先数決定ステップ（Ｓ１７）で決定した数の広告配信先を決定する広告配信先決定ステップ（Ｓ２０）と、広告配信先決定ステップ（Ｓ２０）で決定した広告配信先に広告を配信する広告配信ステップ（Ｓ２１）と、を有している。そして、広告配信プログラム１は、広告配信先毎に広告配信ステップ（Ｓ２１）で配信した広告の既読を確認する既読確認ステップ（Ｓ２２）と、既読確認した広告の既読数に応じて、広告主が支払う広告料を決定する広告料決定ステップ（Ｓ２３）と、既読を確認した広告配信先に支払う報酬を記憶する報酬記憶ステップ（Ｓ２４）と、を有している。
【００１８】
個人情報取得ステップ（Ｓ１５）は、サーバ２から広告配信候補のユーザ端末４に例えば図３に示すような情報登録画面１２を送信し、ユーザ端末４のディスプレイに当該情報登録画面１２を表示することで、広告配信候補のユーザに個人情報の入力を促し、ユーザ端末４から当該ユーザの個人情報をサーバ２に送信させるステップである。図２に示すように、個人情報取得ステップ（Ｓ１５）では、ユーザのログイン用の「ＩＤ」及び「パスワード」の入力を受け付けると共に、「氏名」「ｅ−ｍａｉｌ」「住所」「性別」「生年月日」「独身／既婚の別」「子供の有無」「職業」「役職」「興味ある分野のカテゴリー」などの情報の入力を受け付け、ユーザ端末４からサーバ２に送信させる。
【００１９】
なお、個人情報取得ステップ（Ｓ１５）で取得する個人情報は、上述のものに限定されるものではなく、例えば、より詳細な個人情報を取得してもよい。また、取得する個人情報を、例えば、氏名の入力を受け付けず、また、市区町村よりも下の番地などの住所を受け付けないなどで、完全に個人が特定できない程度の個人情報を取得することで、個人情報の保有リスクを軽減してもよい。
【００２０】
なお、本実施形態では、個人情報取得ステップ（Ｓ１５）は、ユーザの個人情報の入力により、個人情報を取得しているが、例えばｗｅｂサイトの閲覧履歴などの特定の情報をユーザ端末４からサーバ２に送信することで、広告配信候補のユーザの興味ある分野などの個人情報を特定して取得するものであってもよい。
【００２１】
個人情報取得ステップ（Ｓ１５）でユーザ端末４からサーバ２に送信された個人情報は、個人情報記憶ステップ（Ｓ１６）において、ストレージ３の個人情報データベース１１に記憶される。
【００２２】
配信先数決定ステップ（Ｓ１７）及び条件受付ステップ（Ｓ１８）は、図４に示すように、広告主端末６に配信先数を入力できると共に、配信条件とその順位を入力可能な条件入力画面１３を表示することにより実行する。具体的には、配信先数決定ステップ（Ｓ１７）は、広告配信先数の入力を受け付けて、当該情報をサーバ２に送信する。なお、配信先数決定ステップ（Ｓ１７）は、広告配信先数の入力を受け付ける代わりに、支払う広告料の最大値と配信した広告の一既読当りの単価の入力を受け付け、最大広告料を単価で割った数を広告配信先数として決定してもよい。
【００２３】
また、条件受付ステップ（Ｓ１８）は、広告のターゲットとなる層に共通する個人情報の条件を複数入力させ、これら個人情報の条件の順位を入力させて、広告主端末６からサーバ２に送信させる。
【００２４】
なお、この条件入力画面１３には、配信先決定条件の入力欄が設けられており、広告配信候補の過去の広告既読件数、広告配信候補の個人情報の登録日時、広告配信候補の最終アクセス日時などの順位を入力可能となっている。
【００２５】
次に、配信候補抽出ステップ（Ｓ１９）では、まず、優先配信順位を決定する（Ｓ１００）。優先配信順位は、条件受付ステップ（Ｓ１８）で入力を受け付けた複数の配信条件の組み合わせのうち、広告を配信する優先度を順位にしたものである。わかり易くするために具体例を挙げて説明する。図４に例示するように、条件受付ステップ（Ｓ１８）では、１位−地域「鳥取県」、２位−カテゴリー「自動車」、３位−子供の有無「有り」、４位−性別「女」、５位−地域「鳥取市」の５つの配信条件を順位付けして受け付けている。そして、図６に示すように、すべての条件に合致する場合を優先配信順位１位とし、１−４位の配信条件に合致し５位の配信条件に合致しない場合を優先配信順位２位とし、１−３位及び５位の配信条件に合致し４位の配信条件に合致しない場合を優先配信順位３位とする。そして、より上位の配信条件に合致する組み合わせを優先配信順位の上位として順位付けする。
【００２６】
優先配信順位を決定すると（Ｓ１００）、次に、ストレージ３の個人情報データベース１１にアクセスして、優先配信順位が上位の配信条件の組み合わせと合致する広告配信候補を抽出する（Ｓ１０１）。すなわち、まず優先配信順位が１位の配信条件の組み合わせである１−５位の全ての配信条件に合致する広告配信候補を抽出する。そして、優先配信順位が１位の組み合わせの広告配信候補が既に抽出されている場合は、優先配信順位が２位の組み合わせの広告配信候補を抽出し、以下、広告配信候補が既に抽出されていない優先配信順位の上位の広告配信候補を抽出する。
【００２７】
優先配信順位が上位の広告配信候補を抽出すると（Ｓ１０１）、次に、抽出した広告配信候補の数が配信先数決定ステップ（Ｓ１７）で決定した広告配信先数以上となったか否か判断する（Ｓ１０２）。抽出した広告配信候補の数が配信先数決定ステップ（Ｓ１７）で決定した広告配信先数以上となったと判断すると（Ｓ１０２：ＹＥＳ）、配信候補抽出ステップ（Ｓ１９）を終了する。一方、抽出した広告配信候補の数が配信先数決定ステップ（Ｓ１７）で決定した広告配信先数未満であると判断すると（Ｓ１０２：Ｎｏ）、ステップＳ１０１に戻り、優先配信順位が上位の広告配信候補を抽出する処理を繰り返す（Ｓ１０１）。
【００２８】
広告配信先決定ステップ（Ｓ２０）では、配信候補抽出ステップ（Ｓ１９）で抽出した広告配信候補のうち、優先配信順位が最も下位の広告配信候補の中から広告を配信する広告配信先を決定する。すなわち、配信候補抽出ステップ（Ｓ１９）で抽出した広告配信候補のうち、優先配信順位が最も下位の広告配信候補以外の広告配信候補はそのまま広告配信先として決定し、残った広告配信先数の広告配信先を優先配信順位が最も下位の広告配信候補の中から決定する。具体的には、広告配信候補の過去の広告既読件数、広告配信候補の個人情報の登録した日時、広告配信候補の最終アクセス日時に基づいて決定する。本実施形態では、条件入力画面１３において選択された配信先決定条件である広告配信候補の最終アクセス日時に基づいて、広告配信先を決定する。具体的には、最終アクセス日時が近いものから順に広告配信先として決定する。
【００２９】
広告配信先決定ステップ（Ｓ２０）で広告配信先が決定すると、図２に示すように、広告主端末６から配信する広告の内容を受け付けて、具体的に配信する広告を作成し、広告配信ステップ（Ｓ２１）において決定された広告配信先に当該広告を配信する。具体的には、例えば広告がユーザ端末４に表示された場合に開封確認情報をサーバ２に返信するように設定した電子メール又はブラウザソフトウエアなどのアプリケーションソフトウエアで表示した場合に既読である旨の情報がサーバ２に伝達されるように設定されたｗｅｂアドレスなどの形式でユーザ端末４に広告を表示可能な状態にする。
【００３０】
広告が配信されると、次に既読確認ステップ（Ｓ２２）において、広告配信先毎に広告配信ステップ（Ｓ２１）で配信した広告の既読を確認する。この既読確認ステップ（Ｓ２２）では、広告ごとの既読件数を集計して例えばＨＤＤ８に記憶すると共に、広告配信先ごとに既読数を集計して個人情報データベース１１に記憶する。そして、広告料決定ステップ（Ｓ２３）において、既読確認ステップ（Ｓ２２）で確認した広告の既読数に応じて、広告主が支払う広告料を決定し、例えば月極めで広告主端末６に対して広告料を請求する旨の情報を送信する。また、報酬記憶ステップ（Ｓ２４）において、既読確認ステップ（Ｓ２２）で既読を確認した広告配信先に支払う報酬を記憶する。具体的には広告配信先ごとに集計されて個人情報データベース１１に記憶されている既読数に報酬の単価を乗じたものを、積算報酬額として個人情報データベース１１に記憶する。なお、報酬は、例えば、現金、商品やサービスの対価として使用できる証券又はポイントである。
【００３１】
なお、本実施形態の広告配信プログラム１は、例えば既読を確認した広告配信先のユーザが当該広告のリンクから商品を購入した場合に、当該広告配信先のユーザにさらなる報酬を支払うものであってもよい。また、広告配信先のユーザが所定期間内に予め定めた所定数以上の広告を既読した場合に、当該広告配信先のユーザに例えば商品購入代金の割引などの特典を付与するものであってもよい。
【００３２】
以上のように、本実施形態の広告配信プログラム１によると、個人情報記憶ステップ（Ｓ１６）に記憶されてた広告配信候補の中から広告配信先の個人情報の条件に当てはまる広告配信候補を抽出するので、広告配信先に興味のある広告のみを配信することができ、効率的に広告を配信することができる。また、既読確認ステップ（Ｓ２２）が広告の既読を確認した広告配信先に報酬を支払うので、広告配信先のユーザの広告の閲覧に対するインセンティブを向上させることができる。また、複数種類の個人情報の条件を順位付けし、当該個人情報の条件の順位に基づいて、優先的に配信する個人情報の条件の組み合わせに対して優先配信順位を決定して、広告配信先を抽出するので、より確実に、広告内容に関心があるユーザに対して広告を配信することができる。また、広告配信先決定ステップ（Ｓ２０）が、優先配信順位が最下位の広告配信候補に対して、広告配信候補の過去の広告既読件数、広告配信候補の個人情報の登録した日時、及び／又は広告配信候補の最終アクセス日時を含む配信先決定条件に基づいて、前記広告配信先を決定するので、より一層広告を閲覧する可能性がより高い広告配信先に広告を配信することができる。
【００３３】
次に本発明の別の実施形態の広告配信プログラム１について図７及び図８を参照しつつ説明する。なお、上述した形態の広告配信プログラム１と同様のステップについては、説明を省略する。配信候補抽出ステップ（Ｓ１９）は、上述した図５の処理と同様の処理である。なお、この配信候補抽出ステップ（Ｓ１９）は、これに限定されるものではなく、例えば１−５位のいずれかの配信条件を含む全ての広告配信候補を抽出してもよいし、又は、配信条件が１位の配信条件の広告配信候補のみを抽出してもよい。
【００３４】
図７に示すように、配信候補抽出ステップが終わると（Ｓ２５）、配信候補抽出ステップ（Ｓ１９）で抽出した広告配信候補に対して、先着順で配信先数決定ステップ（Ｓ１７）で決定した広告配信先の数の広告を配信する旨の情報を送信する（Ｓ２０１）。すなわち、配信候補抽出ステップ（Ｓ１９）で抽出した全ての広告配信候補に対して送信する広告の限定数を示した情報を送信する。そして、広告配信候補からの広告配信要求を受け付け（Ｓ２０２）、広告配信要求があった広告配信候補を先着順で配信先数決定ステップ（Ｓ１７）で決定した広告配信先の数にいたるまで、広告配信先として決定する（２０３）。
【００３５】
このように別の実施形態の広告配信プログラム１によると、配信候補抽出ステップ（Ｓ１９）が抽出した広告配信候補に対して、広告配信要求を受け付け、先着順で広告配信先を決定するので、広告配信先のユーザに対して配信する広告が先着の配信数を限定したものであることを伝えることができ、よりユーザの関心を引くことができ、また、広告配信要求を受け付けた広告配信先にのみ広告を配信するので、当該広告を閲覧する気があるユーザのみに広告を配信することができる。
【００３６】
なお、本発明の実施の形態は上述の形態に限ることなく、本発明の思想の範囲を逸脱しない範囲で適宜変更することができることは云うまでもない。
【産業上の利用可能性】
【００３７】
本発明に係る広告配信プログラム１は、インターネット５を介して接続された端末に対して効率的に広告を配信するプログラムとして、好適に用いることができる。
【符号の説明】
【００３８】
Ｓ１５    個人情報取得ステップ
Ｓ１６    個人情報記憶ステップ
Ｓ１７    配信先数決定ステップ
Ｓ１８    条件受付ステップ
Ｓ１９    配信候補抽出ステップ
Ｓ２０    広告配信先決定ステップ
Ｓ２１    広告配信ステップ
Ｓ２２    既読確認ステップ
Ｓ２３    広告料決定ステップ
Ｓ２４    報酬記憶ステップ
【図１】
2016139266.tif 000003
【図２】
2016139266.tif 000004
【図３】
2016139266.tif 000005
【図４】
2016139266.tif 000006
【図５】
2016139266.tif 000007
【図６】
2016139266.tif 000008
【図７】
2016139266.tif 000009
【図８】
2016139266.tif 000010